(57)【特許請求の範囲】
【請求項１】
対向する一対の側体の下部間に底体が設けられ、
上記両側体間でかつ底体上に物品収納空間が形成され、
上記物品収納空間を覆うカバー体が装着され、
上記カバー体の一部が側体の一部に当て付けられ、
上記側体の一部に当て付けられたカバー体の一部を覆う覆い部材が上記側体に着脱自在に嵌め込まれ、
上記カバー体の一部は側体の一部と覆い部材とに挟まれて側体に固定されており、
上記カバー体の一部に、側体の一部と覆い部材との間からの脱抜を防止するための抜止め部が設けられていることを特徴とする物品収納具。
【請求項２】
側体は断面が丸形状の外枠を有し、
カバー体の一部が上記外枠に当て付け可能な帯状の取付部材として形成され、
覆い部材は内側に上記外枠を保持する保持空間が形成された断面Ｕ形状に形成され、
上記覆い部材の両遊端部間の間隔が上記外枠の径に応じて弾性的に拡縮することを特徴とする請求項１記載の物品収納具。
【請求項３】
抜止め部は、取付部材に設けられ、外枠に嵌め込まれた覆い部材の遊端部に係合可能であることを特徴とする請求項２記載の物品収納具。
【請求項４】
覆い部材は柔軟性を有する材質で形成されていることを特徴とする請求項１記載の物品収納具。
【発明の詳細な説明】
【０００１】
【発明の属する技術分野】
本発明は、物品収納空間がカバー体で覆われ、このカバー体の内部に多数の物品を収納することができる物品収納具に関する。
【０００２】
【従来の技術】
従来、物品収納具としては例えば特開平７−１０１３３９号公報に示されるものがある。すなわち、後枠体と左右一対の側枠体とが前面を開放した平面視門形状に配設され、これら各枠体の下部間に底枠が配設されている。また、上記各枠体と底枠とで囲まれた収納部は六面体のシート状のカバー体で覆われている。上記カバー体には、後枠体の門形枠材と右側枠体の門形枠材と左側枠体の門形枠材とにそれぞれ巻付け可能な複数の着脱用面ファスナーが設けられている。
【０００３】
そして、上記各着脱用面ファスナーを後枠体の門形枠材と右側枠体の門形枠材と左側枠体の門形枠材とにそれぞれ巻付けることによって、収納部のカバー体を後枠体と右側枠体と左側枠体とに連結固定していた。このようにして取付けられたカバー体内に物品を収納し、複数台の物品収納具をトラック等に搭載して搬送していた。
【０００４】
【発明が解決しようとする課題】
しかしながら上記の従来形式では、複数台の物品収納具を搬送する場合、振動等によって、物品収納具の着脱用面ファスナーが他の物品収納具の着脱用面ファスナーあるいは枠体等に接触し、擦れて損傷する恐れがあった。
【０００５】
本発明は、カバー体を連結固定する際に側体の一部に当て付けられるカバー体の一部が損傷するのを防止することを目的とする。
【０００６】
前記目的を達成するために、本発明のうちで請求項１記載の発明は、対向する一対の側体の下部間に底体が設けられ、
上記両側体間でかつ底体上に物品収納空間が形成され、
上記物品収納空間を覆うカバー体が装着され、
上記カバー体の一部が側体の一部に当て付けられ、
上記側体の一部に当て付けられたカバー体の一部を覆う覆い部材が上記側体に着脱自在に嵌め込まれ、
上記カバー体の一部は側体の一部と覆い部材とに挟まれて側体に固定されており、
上記カバー体の一部に、側体の一部と覆い部材との間からの脱抜を防止するための抜止め部が設けられているものである。
【０００７】
これによると、カバー体の一部を側体の一部に当て付け、覆い部材を側体に嵌め込むことにより、カバー体の一部が側体の一部と覆い部材とに挟まれて側体に固定されるため、簡単にカバー体を装着することができ、さらに、覆い部材を側体から脱抜することにより、簡単にカバー体を取り外すことができる。
【０００８】
また、カバー体を装着した際、カバー体の一部は覆い部材で覆われているため、カバー体の一部が覆い部材で保護され、カバー体の一部が他の物品収納具のカバー体の一部や側体等に直接接触することはない。したがって、カバー体の一部が損傷するのを防止することができる。
【０００９】
請求項２記載の発明は、側体は断面が丸形状の外枠を有し、カバー体の一部が上記外枠に当て付け可能な帯状の取付部材として形成され、覆い部材は内側に上記外枠を保持する保持空間が形成された断面Ｕ形状に形成され、上記覆い部材の両遊端部間の間隔が上記外枠の径に応じて弾性的に拡縮するものである。
【００１０】
これによると、カバー体の取付部材を外枠に当て付け、覆い部材を外枠に嵌め込む。この際、覆い部材の両遊端部間の間隔が上記外枠の径に応じて拡がって、外枠が保持空間内にはまり込んで保持され、その直後、覆い部材の両遊端部間の間隔が縮小して元に戻る。これにより、取付部材が外枠と覆い部材とに挟まれて外枠に固定されるとともに、覆い部材が外枠から不用意に脱落することはない。
【００１１】
請求項３記載の発明は、抜止め部は、取付部材に設けられ、外枠に嵌め込まれた覆い部材の遊端部に係合可能であるものである。
これによると、取付部材が外枠と覆い部材とに挟まれて外枠に固定された状態で、取付部材が引っ張られても、抜止め部が覆い部材の遊端部に係合することによって、取付部材が外枠と覆い部材との間から脱抜されるのを防止することができる。
【００１２】
請求項４記載の発明は、覆い部材は柔軟性を有する材質で形成されているものである。
これによると、複数の物品収納具同士が当接するような場合、覆い部材が介在することによって、覆い部材が当接時のショックを和らげ騒音を低減する。
【００１３】
【発明の実施の形態】
以下に、本発明の第１の実施の形態を図１〜図９に基づいて説明する。
図４に示すように、１は物品収納具であり、左右一対の側枠体２，３（側体の一例）と、これら両側枠体２，３の後部間に配設された後枠体４と、上記両側枠体２，３の下部間に配設された平板状の底体５とで構成されている。
【００１４】
図６に示すように、上記側枠体２，３はそれぞれ、パイプ等を折り曲げて形成した門形状の外枠６と、この外枠６の下端間に連結されるアングル状の下部横枠材７と、この下部横枠材７と上記外枠６の上部横枠材８との間に配設された複数の縦線材９と、上記外枠６の前部縦枠材１０と後部縦枠材１１との間に配設された複数の横線材１２とで構成されている。
【００１５】
図７に示すように、上記後枠体４は、パイプ等を折り曲げて形成した門形状の外枠１３と、この外枠１３の下端間に連結される下部横枠材１４と、この下部横枠材１４と上記外枠１３の上部横枠材１５との間に配設された複数の縦線材１６と、上記外枠１３の左右一対の縦枠材１７，１８間に配設された複数の横線材１９とで構成されている。
【００１６】
図４，図６，図７に示すように、上記一方の側枠体２の後部縦枠材１１と後枠体４の一方の縦枠材１７とは上下複数の連結具２０で連結され、同様に、他方の側枠体３の後部縦枠材１１と後枠体４の他方の縦枠材１８とは上下複数の連結具２１で連結されている。尚、上記一方の側枠体２は、垂直軸心２２の回りに回動して、図４の仮想線で示すように後枠体４の内側に折り畳み可能となっている。
【００１７】
図６に示すように、上記底体５は、側枠体２，３の両下部横枠材７間に支持され、ヒンジ具（図示せず）を介して後枠体４の下部横枠材１４に連結され、水平軸心（図示せず）の回りに回動して、図４または図６の仮想線で示すように後枠体４の内側に折り畳み可能となっている。
【００１８】
上記側枠体２，３の下部横枠材７と後枠体４の下部横枠材１４とには複数のキャスター車輪２４が遊転並びに旋回自在に設けられている。
上記両側枠体２，３間で後枠体４の前方かつ底体５上には、物品収納空間２６が形成されている。この物品収納空間２６の左右両側と後側とはカバー体２７で覆われている。すなわち、図４，図８，図９に示すように、上記カバー体２７は、メッシュ状の布材であり、一方の側枠体２の内面を覆う一方の側部カバー２８と、他方の側枠体３の内面を覆う他方の側部カバー２９と、後枠体４の内面を覆う後部カバー３０とにより、平面視で門形状に形成されている。
【００１９】
上記カバー体２７には、複数の幅の狭い帯状の取付部材３１〜３３と、複数の幅の広い帯状の取付部材３４〜３８と、複数の面ファスナー３９とが設けられている。これら各取付部材３１〜３８の基端部と面ファスナー３９の基端部とはそれぞれ補強用布体４０で補強されている。また、上記各取付部材３１〜３８はそれぞれカバー体２７の一部としてメッシュ状の布材で形成されている。
【００２０】
図８に示すように、上記取付部材３１は、各側部カバー２８，２９の上部の前後両端部に設けられ、各側枠体２，３の外枠６の上部横枠材８に巻き付け可能である。また、上記取付部材３２は、各側部カバー２８，２９の前部かつ上部に設けられ、各側枠体２，３の外枠６の前部縦枠材１０に巻き付け可能である。また、図９に示すように、上記取付部材３３は、後部カバー３０の上部の左右両端部に設けられ、後枠体４の外枠１３の上部横枠材１５に巻き付け可能である。
【００２１】
図８に示すように、上記取付部材３４は、各側部カバー２８，２９の上部でかつ上記両取付部材３１の前後間に設けられ、各側枠体２，３の外枠６の上部横枠材８に巻き付け可能である。また、上記取付部材３５は、各側部カバー２８，２９の前部かつ上下中間部に設けられて上記取付部材３２の下方に位置し、各側枠体２，３の外枠６の前部縦枠材１０に巻き付け可能である。また、図９に示すように、上記取付部材３６は、後部カバー３０の上部かつ上記両取付部材３３間に左右一対設けられ、後枠体４の外枠１３の上部横枠材１５に巻き付け可能である。また、上記取付部材３７は、後部カバー３０の左右一側部に上下一対設けられ、後枠体４の外枠１３の一方の縦枠材１７に巻き付け可能である。また、上記取付部材３８は、後部カバー３０の左右他側部に上下一対設けられ、後枠体４の外枠１３の他方の縦枠材１８に巻き付け可能である。さらに、図８に示すように、上記面ファスナー３９は、各側部カバー２８，２９の前部かつ下部に設けられて上記取付部材３５の下方に位置し、各側枠体２，３の外枠６の前部縦枠材１０に巻き付け可能である。
【００２２】
図６に示すように、上記左右両外枠６の上部横枠材８には、巻き付けられた取付部材３１を覆う覆い部材４３と、巻き付けられた取付部材３４を覆う覆い部材４４とが着脱自在に外嵌されている。同様に、左右両外枠６の前部縦枠材１０には、巻き付けられた取付部材３２を覆う覆い部材４３と、巻き付けられた取付部材３５を覆う覆い部材４４とが着脱自在に外嵌されている。同様に、図７に示すように、後部の外枠１３の上部横枠材１５には、巻き付けられた取付部材３３を覆う覆い部材４３と、巻き付けられた取付部材３６を覆う覆い部材４４とが着脱自在に外嵌されている。同様に、後部の外枠１３の左右両縦枠材１７，１８には、巻き付けられた取付部材３７，３８を覆う覆い部材４４がそれぞれ着脱自在に外嵌されている。
【００２３】
上記各覆い部材４３の長さは各取付部材３１〜３３の幅に合わせて短く形成され、上記各覆い部材４４の長さは各取付部材３４〜３８の幅に合わせて長く形成されている。図１〜図３に示すように、これら各覆い部材４３，４４は、断面がＵ形状に形成され、その内側には、上記外枠６の上部横枠材８および前部縦枠材１０ならびに外枠１３の上部横枠材１５および縦枠材１７，１８を保持する保持空間４５が形成されている。また、上記各覆い部材４３，４４は、柔軟性を有する樹脂で形成され、その両遊端部４６間の間隔は、図２の実線で示すように上記各枠材８，１０，１５，１７，１８の径よりも狭く、かつ各枠材８，１０，１５，１７，１８の径に応じて図２の仮想線で示すように弾性的に拡縮する。さらに、各覆い部材４３，４４の内側には、拡げられた両遊端部４６間の間隔を縮小して元の間隔に復元する方向へ両遊端部４６を付勢する板ばね４７が前後一対設けられている。
【００２４】
これにより、図１に示すように、上記各取付部材３１〜３８は、上記各枠材８，１０，１５，１７，１８と各覆い部材４３，４４とに挟まれて、両側枠体２，３と後枠体４とに連結固定される。また、上記各取付部材３１〜３８の遊端部には、装着された各覆い部材４３，４４の遊端部４６に係合可能な抜止め部材４２が取付けられている。
【００２５】
以下、上記構成における作用を説明する。
カバー体２７を装着する場合、カバー体２７を物品収納空間２６に挿入し、図１に示すように、取付部材３１を各側枠体２，３の外枠６の上部横枠材８に巻き付け、覆い部材４３を上記上部横枠材８に外嵌する。この際、上記覆い部材４３の両遊端部４６間の間隔が上記上部横枠材８の径に応じて拡がって、上部横枠材８が保持空間４５内にはまり込んで保持され、その直後、板ばね４７の付勢力により両遊端部４６間の間隔が縮小して元の間隔に戻る。これにより、取付部材３１が上部横枠材８と覆い部材４３とに挟まれて外枠６に固定されるとともに、覆い部材４３が上部横枠材８から不用意に脱落することはない。
【００２６】
さらに、図６に示すように上記と同様にして覆い部材４３を用いることにより、取付部材３２が前部縦枠材１０と覆い部材４３とに挟まれて外枠６に連結固定され、図７に示すように取付部材３３が上部横枠材１５と覆い部材４３とに挟まれて外枠１３に連結固定される。
【００２７】
また、上記と同様にして覆い部材４４を用いることにより、図６に示すように取付部材３４が上部横枠材８と覆い部材４４とに挟まれて外枠６に固定され、取付部材３５が前部縦枠材１０と覆い部材４４とに挟まれて外枠６に連結固定され、図７に示すように取付部材３７が縦枠材１７と覆い部材４４とに挟まれて外枠１３に連結固定され、取付部材３８が縦枠材１８と覆い部材４４とに挟まれて外枠１３に連結固定される。さらに、図６に示すように、面ファスナー３９を各側枠体２，３の外枠６の前部縦枠材１０に巻き付けて密着させることにより、カバー体２７を簡単に物品収納空間２６に装着することができる。
【００２８】
その後、物品収納空間２６に対して物品を出し入れして、物品を収納する。そして、物品収納具１を押し引きすることにより各キャスター車輪２４が転動して、物品収納具１を容易に移動させることができる。
【００２９】
また、上記各取付部材３１〜３３はそれぞれ覆い部材４３で覆われているため、これら取付部材３１〜３３が覆い部材４３で保護され、同様に、上記各取付部材３４〜３８はそれぞれ覆い部材４４で覆われているため、これら取付部材３４〜３８が覆い部材４４で保護され、これにより、各取付部材３１〜３８が他の物品収納具１の取付部材３１〜３８や側枠体２，３あるいは後枠体４等に直接接触することはない。したがって、複数の物品収納具１をトラック等に搭載して搬送するような場合でも、各取付部材３１〜３８が損傷するのを防止することができる。
【００３０】
また、各覆い部材４３，４４は樹脂製であるため、複数の物品収納具１同士が当接するような場合、上記覆い部材４３，４４が介在することによって、これら覆い部材４３，４４が当接時のショックを和らげ騒音を低減する。
【００３１】
また、カバー体２７に外力等が作用して、各取付部材３１〜３８が引っ張られても、図１に示すように、抜止め部材４２が各覆い部材４３，４４の遊端部４６に係合することによって、各取付部材３１〜３８が各枠材８，１０，１５，１７，１８と各覆い部材４３，４４との間から脱抜されるのを防止することができる。また、各覆い部材４３，４４を各枠材８，１０，１５，１７，１８から取り外すことにより、簡単にカバー体２７を取り外すことができる。
【００３２】
上記実施の形態ではカバー体２７としてメッシュ状の布材を用いたため、通気性および放熱性が良く、湿気を多く含む物品や高温の物品を収納するのに最適である。しかしながら、カバー体２７は、メッシュ状の布材に限られることはなく、全面が閉塞した布材や保冷用のビニールシート等であってもよい。また、上記カバー体２７は側部カバー２８，２９と後部カバー３０とにより三面体に形成されているが、開閉自在な前部カバーを付加した四面体であってもよく、さらには上下両カバーを付加した六面体であってもよい。
【００３３】
上記実施の形態では取付部材３１〜３８を帯状に形成しているが、紐状でもよく、あるいは取付部材３１〜３８として面ファスナーを用いてもよい。
上記実施の形態では、幅の異なる２種類の取付部材３１〜３３と取付部材３４〜３８とに応じて、長さの異なる２種類の覆い部材４３と覆い部材４４とを用いているが、各取付部材３１〜３８の幅を統一し、これに応じて各覆い部材４３，４４の長さを統一してもよい。
【００３４】
上記実施の形態において、図１に示すように、各覆い部材４３，４４の両遊端部４６間の間隔を側枠体２，３の縦線材９の径よりも大きくすることにより、各覆い部材４３，４４を上部横枠材８の前後方向で任意の位置に外嵌することができ、この際、上記縦線材９が邪魔になることはない。同様に、上記両遊端部４６間の間隔を側枠体２，３の横線材１２の径よりも大きくすることにより、各覆い部材４３，４４を前部縦枠材１０の上下方向で任意の位置に外嵌することができ、この際、上記横線材１２が邪魔になることはない。同様に、上記両遊端部４６間の間隔を後枠体４の縦線材１６の径よりも大きくすることにより、各覆い部材４３，４４を上部横枠材１５の左右方向で任意の位置に外嵌することができ、この際、上記縦線材１６が邪魔になることはない。同様に、上記両遊端部４６間の間隔を後枠体４の横線材１９の径よりも大きくすることにより、各覆い部材４３，４４を縦枠材１７，１８の上下方向で任意の位置に外嵌することができ、この際、上記横線材１９が邪魔になることはない。
【００３５】
上記実施の形態において、図４の仮想線で示すように、両側枠体２，３の前部間に、前枠体４８を着脱自在に設け、この前枠体４８の内側に、前枠体４８の内面を覆うカバー（図示せず）を取付けた物品収納具１であってもよい。また、後枠体４のない物品収納具１であってもよい。
【００３６】
上記実施の形態では、図４に示すように、カバー体２７を両側枠２，３と後枠体４との内側に設けて物品収納空間２６を覆っているが、カバー体２７を両側枠２，３と後枠体４との外側に設けて物品収納空間２６を覆ってもよい。
【００３７】
上記本発明の第１の実施の形態では、図１に示すように、各取付部材３１〜３８を各外枠６，１３の内側から外側に巻き付けて、各取付部材３１〜３８の遊端部を外側にしているが、第２の実施の形態として、図１０に示すように、各取付部材３１〜３８を各外枠６，１３の外側から内側に巻き付けて、各取付部材３１〜３８の遊端部を内側にしてもよい。
【００３８】
次に、本発明の第３の実施の形態を図１１，図１２に基づいて説明する。
先に説明した第１および第２の実施の形態では、カバー体２７に複数の帯状の取付部材３１〜３８を設けているが、本第３の実施の形態では、図１１に示すように、カバー体２７の一方の側部カバー２８の上端部全体を外側下向きに折返し自在な一方の上部取付部材６０とし、上記一方の側部カバー２８の前端部全体を外側後向きに折返し自在な一方の前部取付部材６１とし、他方の側部カバー２９の上端部全体を外側下向きに折返し自在な他方の上部取付部材６２とし、上記他方の側部カバー２９の前端部全体を外側後向きに折返し自在な他方の前部取付部材６３とし、後部カバー３０の上端部全体を外側下向きに折返し自在な後部取付部材６４としている。
【００３９】
これによると、カバー体２７を装着する場合、図１２に示すように、上記両上部取付部材６０，６２を折り曲げて各側枠体２，３の上部横枠材８に巻き付け、各覆い部材４３，４４を上記上部横枠材８に外嵌することによって、両上部取付部材６０，６２が上部横枠材８と各覆い部材４３，４４とに挟まれて、両上部取付部材６０，６２が各側枠体２，３の上部横枠材８に連結固定される。
【００４０】
同様に、両前部取付部材６１，６３を折り曲げて各側枠体２，３の前部縦枠材１０に巻き付け、各覆い部材４３，４４を上記前部縦枠材１０に外嵌することによって、両前部取付部材６１，６３が前部縦枠材１０と各覆い部材４３，４４とに挟まれて、両前部取付部材６１，６３が各側枠体２，３の前部縦枠材１０に連結固定される。さらに、後部取付部材６４を折り曲げて後枠体４の上部横枠材１５に巻き付け、各覆い部材４３，４４を上記上部横枠材１５に外嵌することによって、後部取付部材６４が上部横枠材１５と各覆い部材４３，４４とに挟まれて、後部取付部材６４が後枠体４の上部横枠材１５に連結固定される。これにより、カバー体２７を簡単に物品収納空間２６に装着することができる。
【００４１】
尚、上記第３の実施の形態では、第１の実施の形態と同じ２種類の覆い部材４３，４４を用いているが、図１２の仮想線で示すように、上記側枠体２，３の上部横枠材８のほぼ全長を覆う長い覆い部材６６を用いてもよく、あるいは、上記側枠体２，３の前部縦枠材１０のほぼ全長を覆う長い覆い部材６７を用いてもよく、同様に、上記後枠体４の上部横枠材１５のほぼ全長を覆う長い覆い部材（図示せず）を用いてもよい。
【００４２】
次に、本発明の第４の実施の形態を図１３に基づいて説明する。すなわち、本第４の実施の形態は、第１の実施の形態において図８と図９に示した各取付部材３１〜３８のいずれかと、第３の実施の形態において図１１に示した各取付部材６０〜６４のいずれかとを組み合わせたものである。
【００４３】
すなわち、図１３に示すように、各側部カバー２８，２９の前部に帯状の取付部材３２，３５を設け、後部カバー３０の左右両側部に帯状の取付部材３７，３８を設け、各側部カバー２８，２９の上端部全体に上部取付部材６０，６２を設け、後部カバー３０の上端部全体に後部取付部材６４を設けている。
【００４４】
尚、上記第４の実施の形態では、各取付部材３１〜３８と各取付部材６０〜６４とのうち、取付部材３２，３５，３７，３８と上部取付部材６０，６２と後部取付部材６４とを組み合わせて設けているが、他の組み合わせであってもよい。
【００４５】
【発明の効果】
以上のように本発明のうち請求項１の発明によると、カバー体の一部を側体の一部に当て付け、覆い部材を側体に嵌め込むことにより、カバー体の一部が側体の一部と覆い部材とに挟まれて側体に固定されるため、簡単にカバー体を装着することができ、さらに、覆い部材を側体から脱抜することにより、簡単にカバー体を取り外すことができる。
【００４６】
また、カバー体を装着した際、カバー体の一部は覆い部材で覆われているため、カバー体の一部が他の物品収納具のカバー体の一部や側体等に直接接触することはない。したがって、カバー体の一部が損傷するのを防止することができる。
【００４７】
また、請求項２の発明によると、覆い部材を外枠に嵌め込む際、覆い部材の両遊端部間の間隔が上記外枠の径に応じて拡がって、外枠が保持空間内にはまり込んで保持され、その直後、覆い部材の両遊端部間の間隔が縮小して元に戻る。これにより、取付部材が外枠と覆い部材とに挟まれて外枠に固定されるとともに、覆い部材が外枠から不用意に脱落することはない。
【００４８】
また、請求項３の発明によると、取付部材が外枠と覆い部材とに挟まれて外枠に固定された状態で、取付部材が引っ張られても、抜止め部が覆い部材の遊端部に係合することによって、取付部材が外枠と覆い部材との間から脱抜されるのを防止することができる。
【００４９】
また、請求項４の発明によると、複数の物品収納具同士が当接するような場合、覆い部材が介在することによって、覆い部材が当接時のショックを和らげ騒音を低減する。
【図面の簡単な説明】
【図１】本発明の第１の実施の形態における物品収納具のカバー体の取付部分の詳細図である。
【図２】同、物品収納具の覆い部材の正面図である。
【図３】同、物品収納具の覆い部材の斜視図である。
【図４】同、物品収納具の平面図である。
【図５】同、物品収納具の正面図である。
【図６】同、物品収納具の側面図である。
【図７】同、物品収納具の後面図である。
【図８】同、物品収納具のカバー体の側面図である。
【図９】同、物品収納具のカバー体の後面図である。
【図１０】本発明の第２の実施の形態における物品収納具のカバー体の取付部分の詳細図である。
【図１１】本発明の第３の実施の形態における物品収納具のカバー体の斜視図である。
【図１２】同、物品収納具の側面図である。
【図１３】本発明の第４の実施の形態における物品収納具のカバー体の斜視図である。
【符号の説明】
１    物品収納具
２，３    側枠体（側体）
５    底体
６    外枠
２６    物品収納空間
２７    カバー体
３１，３２，３４，３５    取付部材
４２    抜止め部材
４３，４４    覆い部材
４５    保持空間
４６    遊端部
６０，６１，６２，６３    取付部材
【図１】
0003567688.tif 000002
【図２】
0003567688.tif 000003
【図３】
0003567688.tif 000004
【図４】
0003567688.tif 000005
【図５】
0003567688.tif 000006
【図６】
0003567688.tif 000007
【図７】
0003567688.tif 000008
【図８】
0003567688.tif 000009
【図９】
0003567688.tif 000010
【図１０】
0003567688.tif 000011
【図１１】
0003567688.tif 000012
【図１２】
0003567688.tif 000013
【図１３】
0003567688.tif 000014